(57)【要約】【課題】アンテナ切換え構造が簡単である同軸コネクタ組立体の提供。【解決手段】同軸コネクタ組立体は、軸方向に沿って互いに嵌合可能な第１同軸コネクタ１及び第２同軸コネクタ２を具備する。各同軸コネクタ１，２は、外部コンタクト１２，２２に取り囲まれ且つ絶縁体１３，２３により外部コンタクト１２，２２から分離された内部コンタクト１１，２１を有する嵌合部２６，２７を具備する。第１及び第２同軸コネクタ１，２の一方は、嵌合の際、他方の嵌合部を案内し位置決めするための導入部２９を有する。一方の内部コンタクト１１は、接触部１４と一体に形成された弾性金属片３で形成される。接触部１４は、同軸コネクタ組立体の嵌合状態か非嵌合状態かにより、対応する対向接触部４１との切換え可能な電気接続を提供するよう構成される。【選択図】図１
2004047169.tif 000002
【特許請求の範囲】
【請求項１】
軸方向に沿って互いに嵌合可能な第１同軸コネクタ及び第２同軸コネクタを具備し、前記各同軸コネクタは、外部コンタクトに取り囲まれ且つ絶縁体により前記外部コンタクトから分離された内部コンタクトを有する嵌合部を具備し、前記第１及び第２同軸コネクタの一方は、嵌合の際、他方の嵌合部を案内し位置決めするための導入部を有する同軸コネクタ組立体において、
一方の前記内部コンタクトは、接触部と一体に形成された弾性金属片で形成される。
前記接触部は、前記同軸コネクタ組立体の嵌合状態か非嵌合状態かにより、対応する対向接触部との切換え可能な電気接続を提供するよう構成されることを特徴とする同軸コネクタ組立体。
【請求項２】
前記弾性金属片の前記内部コンタクトはＵ字状をなすことを特徴とする請求項１記載の同軸コネクタ組立体。
【請求項３】
前記弾性金属片は、自由端に前記接触部を有する第１コンタクト脚部を具備することを特徴とする請求項１記載の同軸コネクタ組立体。
【請求項４】
前記弾性金属片は、印刷回路基板に電気接続するための単一の端子を有することを特徴とする請求項１記載の同軸コネクタ組立体。
【請求項５】
前記第１同軸コネクタは嵌合面を有し、
前記金属片の先端は前記嵌合面から突出することを特徴とする請求項１記載の同軸コネクタ組立体。
【請求項６】
前記第２同軸コネクタは凹部を有する嵌合面を有し、前記同軸コネクタ組立体の前記嵌合状態の前記突出した金属片の先端を受容することを特徴とする請求項５記載の同軸コネクタ組立体。
【請求項７】
前記第１同軸コネクタは、前記弾性金属片を前記第１同軸コネクタ内に固定するための固定手段を具備することを特徴とする請求項１記載の同軸コネクタ組立体。
【発明の詳細な説明】
【０００１】
【発明の属する技術分野】
本発明は同軸コネクタの分野に関し、より詳細には携帯電話に好適に使用される同軸コネクタ組立体、及び切換え機能を有するアンテナ組立体に関する。
【０００２】
【従来の技術】
切換え機能を有する同軸コネクタは、例えば携帯電話に使用されて外部アンテナ用に接続選択肢を提供する。外部アンテナが接続されると、携帯電話の内部アンテナは携帯電話の各部品と接続解除される必要がある。
【０００３】
携帯電話に使用されるこのような同軸コネクタ組立体は、国際公開第９８／３１０７８号で公知である。図６は、非接続状態の従来のコネクタ組立体を示す。この同軸コネクタ組立体は、第１コネクタ１及び第２コネクタ２からなる。第１コネクタ１は、電話受け台等の装置に受容されるために外部ハウジング６を有する携帯電話等の装置内の印刷回路基板５に実装される。さらに、第２コネクタ２は、第１コネクタと嵌合するために電話受け台９内に実装される。各コネクタは各外部コンタクト１２，２２により取り囲まれた内部コンタクト３１，２１を具備し、外部コンタクト１２，２２は絶縁体１３，２３によって内部コンタクトから分離されている。図示のコネクタ組立体の非接続状態において、弾性コンタクトアーム３２は、第１及び第２表面実装接触部５１，５２を電気的に接続する。第１コネクタ１の内部コンタクト３１は、軸方向Ａに沿って移動可能である。第１及び第２コネクタが嵌合すると、可撓内部コンタクト３１が押し下げられ、弾性コンタクトアーム３２を対向接触部５３から分離する。これにより、第１状態では第１表面実装接触部及び第２表面実装接触部５２が接続され、第２状態では互いに分離する切換え機能が実現する。
【０００４】
さらに、米国特許第５２６５１７７号明細書は、例えば第２コネクタを有するテストプローブを第１コネクタ内に挿入する際に印刷回路基板の部品を試験するために、印刷回路基板に実装された同様の第１コネクタを開示する。第２コネクタは同軸型であり、軸方向（嵌合方向）に沿って突出する内部導体と、絶縁体により内部導体から分離された外部導体とを有する。第１コネクタは、対応する嵌合部と、第１接触部に当接して印刷回路基板の第１部分に電気的に接続される、両方向に移動可能なばねアームとを具備する。ばねアームは、さらに印刷回路基板の第２部分に電気的に接続される。テストプローブコネクタが基板に直交する方向に挿入されると、突出した内部導体がばねアームを押し下げる。これにより、ばねアーム及び第１コンタクト部間の接触が切り離され、テストプローブコネクタ及びばねアーム間の電気的接触が達成される。
【０００５】
【発明が解決しようとする課題】
嵌合又は嵌合解除する際、これらコネクタ組立体は、機械的に大いにストレスを受ける。特に、印刷回路基板及び電気コンタクトがこの機械的影響を被る。
【０００６】
さらに、切り換えられた内部アンテナの例において、基板は、組立体の嵌合状態とは無関係に、第１高周波信号を供給する内部アンテナに常に電気的に接続される。この結果、コネクタ組立体の嵌合状態での外部アンテナが第２高周波信号を供給すると、内部アンテナは不要な第１高周波信号を伝送する。加えて、印刷回路基板は、その対応するインタフェース部から基板上に実装された切換えコネクタ組立体に供給中の高周波信号を供給することができ、且つできる限り高周波信号をシールドすることができるよう構成されなければならない。
【０００７】
従って、本発明の解決すべき課題は、いかに同軸コネクタ組立体のアンテナ切換え構造を簡単にするかということである。
【０００８】
【課題を解決するための手段】
この課題は、特許請求の範囲の請求項１に記載された発明により解決する。本発明は、軸方向に沿って互いに嵌合可能な第１同軸コネクタ及び第２同軸コネクタを具備する。各同軸コネクタは、外部コンタクトに取り囲まれ且つ絶縁体により外部コンタクトから分離された内部コンタクトを有する嵌合部を具備する。第１及び第２同軸コネクタの一方は、嵌合の際、他方の嵌合部を案内し位置決めするための導入部を有する。一方の内部コンタクトは、接触部と一体に形成された弾性金属片で形成される。接触部は、同軸コネクタ組立体の嵌合状態か非嵌合状態かにより、対応する対向接触部との切換え可能な電気接続を提供するよう構成される。
【０００９】
【発明の実施の形態】
以下、添付図面を参照して本発明の実施の形態を説明する。図１は、嵌合状態の本発明の同軸コネクタ組立体を示す断面図である。図２は、非嵌合状態の図１の組立体を示す断面図である。図３は、携帯電話内における図１の組立体の配置を示す平面図及び側面断面図である。図４は、図３の要部の詳細図である。図５は、本発明による別の実施形態のアンテナ組立体を示す断面図である。
【００１０】
最初に、図１ないし図４を参照して、同軸コネクタ組立体及びアンテナ組立体の第１実施形態を詳細に説明する。図示のコネクタ組立体の細部に関しては、上述の国際公開第９８／３１０７８号を参照する。
【００１１】
図１及び図２は、それぞれ嵌合状態及び非嵌合状態の同軸コネクタ組立体を示す。第１同軸コネクタ１及び第２同軸コネクタ２は、軸方向Ａに沿って互いに嵌合可能である。同軸コネクタ組立体は、携帯電話のハウジング６内に配置され、印刷回路基板５及び内部アンテナ即ちアンテナ部４を更に具備する。第１同軸コネクタ１は、内部アンテナ４及び接続手段７を介して回路基板５に機械的に固定される。
【００１２】
入力高周波信号は、内部アンテナ４に受信され、弾性金属片３を介して印刷回路基板５に供給される。図２における矢印は、受信された高周波信号の流れを示す。金属片は、対応する対向接触部４１と切換え可能な電気接続を提供するよう構成された接触部１４と一体に形成される。組立体の非嵌合状態において、接触部１４は対向接触部４１に当接し、内部アンテナ４に電気接続される。最後に、金属片３の信号端子１６が、印刷回路基板５に高周波信号を供給する。参照番号２６，２７は、それぞれ第１及び第２同軸コネクタの嵌合部を示す。
【００１３】
図３は、携帯電話のハウジング６における同軸コネクタ組立体即ちアンテナ組立体の配置を示す。平面図のうち切り欠いた部分は、内部アンテナ４及び第１同軸コネクタ１を示す。さらに、図３の下側に示された対応する断面図には、携帯電話ハウジング６の導入部６１と共に印刷回路基板５が図示されている。
【００１４】
図４は、図３の要部の詳細図である。第１同軸コネクタ１は、固定手段４２により第１コネクタ１に機械的に固定された弾性金属片３を具備する。この弾性金属片３は、第１同軸コネクタ１の内部コンタクト１１を形成し、好適にはＵ字状をなす。さらに、金属片３は、その先端１８が第１同軸コネクタ１の嵌合面１７から突出する。第１コネクタ１は、絶縁体１３により内部コンタクトから分離された位置１２に図示されていない接地即ち外部接触部を更に具備する。
【００１５】
弾性金属片３の内部コンタクト１１は軸方向に沿って移動可能である。従って、第１コネクタは、内部コンタクト１１及び絶縁体１３間に間隙を提供することにより、内部コンタクト１１の対応する移動を可能にする構造にしてもよい。其の中に、間隙をも少なくとも部分的に絶縁体１３に形成してもよい。第１同軸コネクタ１は、嵌合の際、コネクタの嵌合部を案内し位置決めする導入部２９を更に具備する。
【００１６】
好ましくは、第２同軸コネクタ２の内部コンタクト２１（図２参照）は、嵌合面２４に形成された凹部２５を有し、組立体の嵌合状態において突出した金属片の先端１８に当接又は受容する。
【００１７】
図１に示されるように、コネクタ組立体の嵌合状態において、第２コネクタ２の内部コンタクト２１は、弾性金属片３の内部コンタクト１１の先端１８と接触するようになる。第２コネクタ２は、絶縁体２３によって内部コンタクト２１から分離された外部コンタクト２２を更に具備する。嵌合状態において、第１及び第２コネクタの嵌合部は互いに対向する。
【００１８】
弾性金属片３は、軸方向に少なくとも部分的に移動可能であり、第２コネクタ２からの信号又は内部アンテナ４間に切換え機能を提供する。第１同軸コネクタ１及び第２同軸コネクタ２の嵌合の際、弾性金属片の内部コンタクト１１は、対向接触部４１から接触部１４を切り離すように押し下げられる。これにより、コネクタ組立体の嵌合状態において、第２コネクタから届く外部高周波信号が、図１の矢印により示されるように、弾性金属片を介して印刷回路基板５に伝達される。
【００１９】
好適には、金属片３は、その第１コンタクト脚部１９の自由端に接触部１４を有する。更に、有利な実施形態において、弾性金属片の接触部又は高周波入力信号端子１６は、金属片３の弾性第２コンタクト脚部１５の自由端に具現化される。
【００２０】
更に、固定手段７は、印刷回路基板に対してアンテナ組立体をクリップ止め又はねじ止めするために使用でき、印刷回路基板に柔軟性のある機械的接続を与えてコネクタ組立体に対する機械的結合を更に改善する。最後に、第１コネクタの接地コンタクト即ち外部コンタクト１２は、固定手段７を介して又は印刷回路基板５に半田付けされた小さなばねを用いて、押圧又は半田付けのいずれかをすることにより、印刷回路基板５に電気的に接続することができる。
【００２１】
本発明によるアンテナ組立体は、第１同軸コネクタ１、アンテナ部４及び弾性金属片３を具備する。ここで、基本的に弾性金属片３が切換え（スイッチ）手段を形成し、アンテナ組立体に切換え機能を提供する。当業者に明らかなように、アンテナ組立体について、共通スイッチ手段と上述と同じ利点が達成される。スイッチ手段即ち弾性金属片は、共通高周波入力信号端子としての接触部１６を有する。第１同軸コネクタは第２同軸コネクタと嵌合可能である。アンテナ組立体の嵌合状態か非嵌合状態かによって、高周波信号はアンテナ部４又は第２コネクタ２のいずれかに切り換えられる。
【００２２】
図５は、本発明の第２実施形態を示す。本実施形態に示された詳細の殆どは第１実施形態と同一であるので、基本的には相違点を詳細に説明する。
【００２３】
アンテナ部４は第１コネクタ１とほぼ一体に形成されるが、本実施形態によれば、ハウジング６に機械的に固定される。このため、印刷回路基板５に対する直接的な機械的接続手段は存在せず、対応する機械的応力がハウジング６によって印刷回路基板５に間接的に作用する。印刷回路基板５への電気接続は、本発明の第１実施形態用に図示したように、弾性金属片３によって実現する。第１実施形態との更なる相違点は第１コネクタ１の導入領域２９が変更されたことであり、これによりハウジング６の導入領域６１が不要になる。
【００２４】
当業者には明らかなように、以下の改良が、第２実施形態と共に第１実施形態を別の好適な実施形態にする。
【００２５】
上記実施形態の変更例では、第１同軸コネクタ１及びアンテナ部４は、単一の一体成形されたデバイスとして形成してもよい。ここで、アンテナ組立体は、基本的には異なる２つのプラスチック部品から製造された１部品で形成され、プラスチック部品のうちの一方はニッケル層等の導電層で被覆され、他方のプラスチック部品は被覆されていない。
【００２６】
更に、弾性金属片３の接触部１４はまた、その固定部及び内部コンタクト１１の間に配置してもよい。弾性金属片３の軸方向の移動は、依然として、対応して配置された対向接触部４１から接触部１４を分離するのに適当である。最後に、第２同軸コネクタは、外部アンテナ、即ち自動車の装備又は製造ラインのテストプローブに接続してもよい。
【図面の簡単な説明】
【図１】嵌合状態の本発明の同軸コネクタ組立体を示す断面図である。
【図２】非嵌合状態の図１の組立体を示す断面図である。
【図３】携帯電話内における図１の組立体の配置を示す平面図及び側面断面図である。
【図４】図３の要部の詳細図である。
【図５】本発明による別の実施形態のアンテナ組立体を示す断面図である。
【図６】非嵌合状態の従来の同軸コネクタ組立体を示す断面図である。
【符号の説明】
１　　　　　第１同軸コネクタ
２　　　　　第２同軸コネクタ
５　　　　　印刷回路基板
１１，２１　内部コンタクト
１２，２２　外部コンタクト
１３，２３　絶縁体
１４　　　　接触部
１６　　　　端子
１７　　　　嵌合面
１８　　　　先端
１９　　　　第１コンタクト脚部
２４　　　　嵌合面
２６，２７　嵌合部
２９　　　　導入部
４１　　　　対向接触部
４２　　　　固定手段
【図１】
2004047169.tif 000003
【図２】
2004047169.tif 000004
【図３】
2004047169.tif 000005
【図４】
2004047169.tif 000006
【図５】
2004047169.tif 000007
【図６】
2004047169.tif 000008